(57)【要約】【課題】プラズマディスプレイパネルを提供する。【解決手段】互いに対向して配置された前面基板及び背面基板と、前記前面基板と前記背面基板との間に配置され前記前面基板及び背面基板と共に放電セルを画定する誘電体壁と、放電セルの周囲に沿って誘電体壁内に分離して埋設された複数の放電電極（２０６、２０７）と、放電電極の外郭部で一方向に形成され、現像工程時に発生するオーバーエッチングによりエッチングされるダミー電極（２０６ｂ）と、放電セル内に塗布された赤、緑、または青色の蛍光体層（２１４）と、を備えることを特徴とするプラズマディスプレイパネル。【選択図】図６
2006156349.tif 000002
【特許請求の範囲】
【請求項１】
互いに対向して配置された前面基板及び背面基板と、
前記前面基板と背面基板との間に配置され前記前面基板及び背面基板と共に放電セルを画定する誘電体壁と、
前記放電セルの周囲に沿って前記誘電体壁内に分離して埋設された複数の放電電極と、
前記放電電極の外郭部で一方向に延びるように形成され、現像工程時に発生するオーバーエッチングによりエッチングされるダミー電極と、
前記放電セル内に塗布された赤、緑、または青色の蛍光体層と、を備えることを特徴とするプラズマディスプレイパネル。
【請求項２】
前記ダミー電極は、第１及び第２の前記放電電極と外部端子とが接続される前記前面基板の非表示領域に配置されたことを特徴とする請求項１に記載のプラズマディスプレイパネル。
【請求項３】
前記放電電極は、前記前面基板と前記背面基板との間で一方向に隣接して形成された放電セルをそれぞれ取り囲むように配置された第１及び第２放電電極を備え、
前記第１及び第２放電電極は、前記隣接した放電セルの周囲に沿ってそれぞれ連続的に連結されたことを特徴とする請求項２に記載のプラズマディスプレイパネル。
【請求項４】
前記ダミー電極は、前記前面基板と前記背面基板との間で一方向に連続的に配置された複数の前記第１及び第２放電電極の最外郭部に配置されたことを特徴とする請求項３に記載のプラズマディスプレイパネル。
【請求項５】
前記ダミー電極は、前記最外郭部の各角部からそれぞれ延びて前記第１の放電電極及び第２の放電電極の少なくとも一方と一体的に構成されたことを特徴とする請求項４に記載のプラズマディスプレイパネル。
【請求項６】
前記ダミー電極は、前記現像工程中に前記前面基板の一の側の端部近傍に配置された現像器と隣接して形成され、前記第１及び第２放電電極において前記現像器から投入される現像液よって露出される範囲のうち、前記現像液に対する露出時間が相対的に長い前記第１及び第２放電電極の外郭部分に形成されたことを特徴とする請求項２に記載のプラズマディスプレイパネル。
【請求項７】
前記第１及び第２放電電極は、前記前面基板と前記背面基板との間で一方向に隣接して形成された放電セルの周囲に沿って連続的に配置された梯子形であることを特徴とする請求項２に記載のプラズマディスプレイパネル。
【請求項８】
前記誘電体壁と前記背面基板との間に前記誘電体壁と共に放電セルを画定する隔壁がさらに配置され、
前記蛍光体層は、前記隔壁の内側に塗布されたことを特徴とする請求項１に記載のプラズマディスプレイパネル。
【請求項９】
前記背面基板上で前記第１及び第２放電電極と交差する方向に延びたアドレス電極がさらに配置され、前記アドレス電極は誘電体層によって埋設されたことを特徴とする請求項１に記載のプラズマディスプレイパネル。
【発明の詳細な説明】
【技術分野】
【０００１】
本発明は、プラズマディスプレイパネルに係わり、より詳細には、表示領域に配置された放電電極がオーバーエッチングされることを防止するために、非表示領域に別途のダミー電極パターンを形成して放電電極の代りにオーバーエッチングさせることによって、オーバーエッチングの問題を解決したプラズマディスプレイパネルに関する。
【背景技術】
【０００２】
プラズマディスプレイパネルは、一般的に、複数の放電電極が形成された２つの基板間に放電ガスを注入して放電させ、放電により発生する紫外線によって蛍光体層の蛍光物質を励起させて、所望の数字、文字または画像を具現する平板表示装置である。
【０００３】
図１は、従来のプラズマディスプレイパネル１００（ＰＤＰ）を示したものである。
【０００４】
図１を参照すれば、プラズマディスプレイパネル１００は、前面パネル１１０と、前面パネル１１０と対向して配置された背面パネル１６０とを備えている。
【０００５】
前面パネル１１０は、前面基板１１１と、背面基板１６１と対向する面に配置されたＸ電極１１２及びＹ電極１１３と、Ｘ電極１１２及びＹ電極１１３を埋設する前面誘電体層１１４と、前面誘電体層１１４の表面に形成された保護膜層１１５とを備えている。
【０００６】
Ｘ電極１１２は、第１透明電極ライン１１２ａと、第１透明電極ライン１１２ａの一端部に配置された第１バス電極ライン１１２ｂとを備え、Ｙ電極１１３は、第２透明電極ライン１１３ａと、第２透明電極ライン１１３ａの一端部に配置された第２バス電極ライン１１３ｂとを備えている。
【０００７】
背面パネル１６０は、背面基板１６１と、前面基板１１１と対向する背面基板１６１の面に配置されＸ及びＹ電極１１２、１１３と交差する方向に配置されたアドレス電極１６２と、アドレス電極１６２を埋設する背面誘電体層１６３とを備えている。
【０００８】
一方、前面パネル１１０と背面パネル１６０との間には放電空間を画定する隔壁１６４が配置され、隔壁１６４の内側に赤、緑、青色の蛍光体層１６５が塗布されている。
【０００９】
このような構造を持つ従来のプラズマディスプレイパネル１００を駆動するためには、Ｙ電極１１３及びアドレス電極１６２にそれぞれ電気的信号を印加して交差する地点の放電セルを選択した後、Ｘ電極１１２及びＹ電極１１３に交互に電気的信号を印加して、背面パネル１６０と対向する前面パネル１１０の面から面放電が起きて紫外線が発生し、選択された放電セル内に塗布された赤、緑、青色の蛍光体層１６５から可視光が放出されて静止画または動画を具現できる。
【００１０】
ところが、従来のプラズマディスプレイパネル１００は、次のような問題点がある。
【００１１】
第１に、Ｘ電極１１２及びＹ電極１１３のうち金属素材からなる第１バス電極ライン１１２ｂ及び第２バス電極ライン１１３ｂは、前面基板１１１上に電極用素材を印刷した後、露光及び現像、焼成する過程によって形成可能である。ここで、現像工程においてプラズマディスプレイパネル１００の端部と隣接して現像器を配置し、これを通じて現像液を塗布するが、所望の厚さの第１バス電極ライン１１２ｂ及び第２バス電極ライン１１３ｂを形成するためには、現像液の濃度が濃く、現像液を塗布するノズルの圧力が高く、長い現像時間を必要とする。
【００１２】
したがって、現像器が配置される方向と隣接したプラズマディスプレイパネル１００の端部は、他の部分より現像液に露出される時間が長いので、第１バス電極ライン１１２ｂ及び第２バス電極ライン１１３ｂが他の部分よりオーバーエッチングされてしまうという問題点がある。
【００１３】
第２に、前面パネル１１０の背面パネル１６０と対向する面には、Ｘ及びＹ電極１１２、１１３だけでなく、前面誘電体層１１４と保護膜層１１５とが順次積層されて形成されているので、これら層によって放電セル内で発生した可視光線が吸収され透過率が６０％に満たない。したがって、透過率の高い高効率平板表示装置としての役割を果たせないという問題点がある。
【００１４】
第３に、プラズマディスプレイパネル１００を長時間駆動する場合には、放電が蛍光体層１６５に向かって広がるので、電界によって放電ガスの荷電粒子が蛍光体層１６５にイオンスパッタリングを起こすことによって、永久残像を引き起こすという問題点がある。
【００１５】
第４に、放電は、Ｘ電極１１２及びＹ電極１１３間の放電ギャップから外側に広がるが、放電が前面パネル１１０の平面に沿って広がるので、放電セル全体の空間活用度が低いという問題点がある。
【発明の開示】
【発明が解決しようとする課題】
【００１６】
本発明の目的は、上記問題点を解決するために成されたものであり、放電電極の現像工程時に、現像液に相対的に多く露出される部分がオーバーエッチングされる現象を利用して、現像液に多く露出される非表示領域に別途のダミー電極パターンを備え、そのダミー電極パターンをオーバーエッチングさせることによって、表示領域に配置された放電電極のオーバーエッチングを防止できるプラズマディスプレイパネルを提供することである。
【００１７】
本発明の他の目的は、放電セルの周囲に沿って放電電極を配置して、可視光線の透過率を高めるように構造が改善されたプラズマディスプレイパネルを提供することである。
【課題を解決するための手段】
【００１８】
上記目的を達成するために、本発明によるプラズマディスプレイパネルは、互いに対向して配置された前面基板及び背面基板と、前記前面基板と前記背面基板との間に配置され、前記前面基板及び背面基板と共に放電セルを画定する誘電体壁と、前記放電セルの周囲に沿って前記誘電体壁内に分離して埋設された複数の放電電極と、前記放電電極の外郭部で一方向に延びて形成され現像工程時に発生するオーバーエッチングによりエッチングされるダミー電極と、前記放電セル内に塗布された赤、緑、または青色の蛍光体層とを備えることを特徴とする。  ここで、前記ダミー電極は、第１放電電極及び第２放電電極と外部端子とが接続される前記前面基板の非表示領域に配置される構造である。
【００１９】
前記放電電極は、前記前面基板と前記背面基板との間で一方向に沿って隣接して形成された放電セルを取り囲むように配置された第１及び第２放電電極を備え、前記第１及び第２放電電極は、前記隣接した放電セルの周囲に沿ってそれぞれ連続的に連結される。
【００２０】
一方、前記ダミー電極は、前記前面基板と前記背面基板との間で一方向に沿って連続的に配置された複数の第１放電電極及び第２放電電極の最外郭部に配置される。  前記ダミー電極は、前記最外郭部の各角部からそれぞれ延びて前記第１放電電極及び第２放電電極の少なくとも一方と一体的に構成される。
【００２１】
前記ダミー電極は、現像工程中に前記前面基板の一側の端部近傍に配置された現像器と隣接して形成され、前記第１放電電極及び第２放電電極において前記現像器から投入される現像液に露出される範囲のうち、前記現像液に対する露出時間が相対的に長い第１放電電極及び第２放電電極の外郭部に形成される。
【００２２】
前記第１放電電極及び第２放電電極は、前記前面基板の一方向に沿って隣接する放電セルの周囲に沿って連続的に配置された梯子形であることが望ましい。
【００２３】
前記誘電体壁と背面基板との間には、前記誘電体壁と共に放電セルを画定する隔壁がさらに配置され、前記蛍光体層は、前記隔壁の内側に塗布される。
【００２４】
前記背面基板上で前記第放電電極１及び第２放電電極と交差する方向に延びたアドレス電極がさらに設置され、前記アドレス電極は誘電体層によって埋設される。
【発明の効果】
【００２５】
本発明のプラズマディスプレイパネルは、現像液が投入される方向と対応する放電電極の外郭部分に、放電とは関係ないダミー電極を形成することによって、現像器から投入される現像液に露出される時間が長くても、放電電極はオーバーエッチングから保護されて所望の厚さや形状の放電電極の形成が可能である。したがって、断線のような不良を未然に防止できる。
【発明を実施するための最良の形態】
【００２６】
以下、添付された図面を参照し、本発明の一実施形態によるプラズマディスプレイパネルを詳細に説明する。
【００２７】
図２は、本発明の一実施形態によるプラズマディスプレイパネル２００の一部を破断して示した斜視図である。図３は、図２のＩ−Ｉ線に沿った断面図である。
【００２８】
図２及び図３を参照すれば、プラズマディスプレイパネル２００は、前面基板２０１と前面基板２０１と平行に配置された背面基板２０２とを備えている。前面基板２０１及び背面基板２０２の対向し合う面の端部にはフリットガラスが塗布されており、それらを相互に密着して内部空間を外部から密閉させている。
【００２９】
前面基板２０１は透明な基板、例えば、ソーダライムガラスから形成されている。背面基板２０２も、実質的に前面基板２０１と同じ素材から形成されている。
【００３０】
前面基板２０１及び背面基板２０２の間には、これらと共に放電セルを画定する誘電体壁２０５が介在されている。誘電体壁２０５は、ガラスペーストに各種フィラーを添加して形成されている。
【００３１】
誘電体壁２０５は、前面基板２０１及び背面基板２０２のＸ方向に配置された第１誘電体壁２０３とＹ方向に配置された第２誘電体壁２０４とを備えている。第２誘電体壁２０４は、隣接した一対の第１誘電体壁２０３の内側から第１誘電体壁２０３と交差する方向に延びて形成されている。結合された第１誘電体壁２０３及び第２誘電体壁２０４はマトリックス状に配列されており、放電セルは四角形であるとなっている
別の方法として、誘電体壁２０５は、メアンダー型（ｍｅａｎｄｅｒ）、デルタ型（ｄｅｌｔａ）、蜂の巣型（ｈｏｎｅｙｃｏｍｂ）など多様な形状を有することができる。また、誘電体壁２０５によって画定された放電セルは、四角形以外にも、六角形、楕円形、円形など、放電セルを画定できる構造ならば、一つの放電セル構造に限定されるものではない。
【００３２】
誘電体壁２０５の内部には、第１放電電極２０６と第２放電電極２０７とが分離して埋設されている。第１放電電極２０６及び第２放電電極２０７は、放電セルの内部に配置されたものではなく、放電セルの周囲に沿って配置されている。第１放電電極２０６及び第２放電電極２０７は互いに電気的に絶縁されており、相異なる強さの電圧が印加される。
【００３３】
誘電体壁２０５の内側表面には、放電セルの４つの側面壁に沿って放電セルの内部で生成されたイオンが誘電体壁２０５の内側表面で２次電子が多く放出できるように、酸化マグネシウム（ＭｇＯ）のような素材からなる保護膜層２０８が蒸着されている。
【００３４】
誘電体壁２０５と背面基板２０２との間には、隔壁２１３がさらに形成されることができる。隔壁２１３は、誘電体壁２０５とは違って低誘電性の素材から形成されている。隔壁２１３は、誘電体壁２０５と対応する部分で誘電体壁２０５と実質的に同じ形状に配置されている。
【００３５】
隔壁２１３は、第１誘電体壁２０３と平行な方向に配置された第１隔壁２１１と、第２誘電体壁２０４と平行な方向に配置された第２隔壁２１２とを備えている。第１隔壁２１１及び第２隔壁２１２は相互に一体的に結合されて、マトリックス型を形成している。
【００３６】
前面基板２０１及び背面基板２０２の間に誘電体壁２０５が唯一形成される場合には、単一層の壁が放電セルを画定する構造であり、誘電体壁２０５と隔壁２１３とがいずれも前面基板２０１及び背面基板２０２の間に形成される場合には、誘電性の異なる素材からなる二層の壁が放電セルを画定する構造となる。
【００３７】
背面基板２０２上には、第１放電電極２０６及び第２放電電極２０７と交差する方向にアドレス電極２０９が配置されている。アドレス電極２０９は、放電セル内に位置している。アドレス電極２０９は、誘電体層２１０によって埋設されている。
【００３８】
プラズマディスプレイパネル２００は、面放電型、対向放電型、またはハイブリッド型によって、第１放電電極２０６及び第２放電電極２０７のみを交差して配置された構造、第１放電電極２０６及び第２放電電極２０７とアドレス電極２０９とが配置された構造、またはそれぞれの放電電極が単一電極または複数電極で配置された構造とすることもできる。
【００３９】
本実施形態では、第１放電電極２０６及び第２放電電極２０７は維持放電を起こす電極であり、第１放電電極２０６は放電維持電極であるＸ電極に該当し、第２放電電極２０７は走査電極であるＹ電極に該当し、これら電極と交差する方向に第２放電電極２０７とアドレッシング放電を起こすアドレス電極２０９が配置された構造である。この時、アドレス電極２０９は、第１放電電極２０６及び第２放電電極２０７を埋設する誘電体壁２０５と同じ材料の誘電体層２１０により埋設されることもできる。
【００４０】
一方、前面基板２０１及び背面基板２０２、誘電体壁２０５、及び隔壁２１３によって画定された放電セル内には、ネオン（Ｎｅ）−キセノン（Ｘｅ）や、ヘリウム（Ｈｅ）−キセノン（Ｘｅ）のような放電ガスが注入されている。
【００４１】
また、放電セル内には、放電ガスから発生した紫外線によって励起されて可視光線を放出する赤、緑、青色の蛍光体層２１４が形成されている。この時、蛍光体層２１４は、放電セルのどの領域にも塗布されることができるが、本実施形態では、隔壁２１３の内側の側面と誘電体層２１０の上面とに、所定の厚さで塗布されている。
【００４２】
赤、緑、青色の蛍光体層２１４は、それぞれの放電セル別に塗布されている。赤色の蛍光体層は（Ｙ,Ｇｄ）ＢＯ３：Ｅｕ３＋から形成され、緑色の蛍光体層はＺｎ２ＳｉＯ４：Ｍｎ２＋から形成され、青色の蛍光体層はＢａＭｇＡｌ１０Ｏ１７：Ｅｕ２＋から形成されることが望ましい。
【００４３】
ここで、第１放電電極２０６及び第２放電電極２０７には、これら電極を形成するための工程の一つである、現像工程時に発生し得るオーバーエッチングに備えるための手段が形成されている。
【００４４】
オーバーエッチングに備えるための手段をより詳細に説明すれば、次の通りである。
【００４５】
図４は、前面基板２０１上に第１放電電極２０６、第２放電電極２０７が配置された状態を示すものであり、図５は、図４の複数の放電電極のうち一つを部分的に拡大して示す平面図である。図６は、図４の放電セルを取り囲んでいる放電電極を部分的に拡大して示す斜視図である。
【００４６】
図４及び図６を参照すれば、前面基板２０１は、第１放電電極２０６、第２放電電極２０７に所定の放電電圧が印加されることによって画像を具現する表示領域２０１ａと、表示領域２０１ａの端部に沿って配置された第１放電電極２０６、第２放電電極２０７の端部が外部端子、例えば、フレキシブルプリントケーブルと電気的に接続される非表示領域２０１ｂとに区画できる。
【００４７】
図４に示すように、線ＩＩ−ＩＩと線ＩＩＩ−ＩＩＩとを基準に、表示領域２０１ａと非表示領域２０１ｂに区分される。
【００４８】
第１放電電極２０６は、前面基板２０１の一方向（Ｘ方向）に沿って配置されている。第１放電電極２０６は、誘電体壁２０５によって画定された放電セルの周囲に沿って配置されており、マトリックス状の誘電体壁２０５によって四角形に形成されている。
【００４９】
また、第１放電電極２０６は、前面基板２０１のＸ方向に沿って隣接して形成された放電セルの周囲に沿って連続的に配置されている。第１放電電極２０６は、前面基板２０１のＸ方向に沿って梯子形をなしている。このような梯子形の第１放電電極２０６が、前面基板２０１のＹ方向に沿って所定間隔離隔されるように複数が配置されている。
【００５０】
第２放電電極２０７は、第１放電電極２０６と対応する領域で前記第１放電電極２０６の下部に分離して配置されている（図２及び図３参照）。第２放電電極２０７も第１放電電極２０６と同じく放電セルの周囲に沿って配置されており、前面基板２０１のＸ方向に沿って隣接した放電セルに連続的に配置された梯子形である。
【００５１】
第１放電電極２０６及び第２放電電極２０７は、前面基板２０１上の一端部で外部端子と接続されることを除いては実質的に同じ形状である。以下、第１放電電極２０６の場合を例示して説明するが、第２放電電極２０７にも同様に適用可能である。
【００５２】
第１放電電極２０６には、オーバーエッチングを防止するための別途のダミー電極２０６ｂが配置されている。すなわち、第１放電電極２０６は、前面基板２０１の表示領域２０１ａでは、隣接した放電セルの周囲に沿って四角形が連続的に配置された梯子形をなしており、前面基板２０１の非表示領域２０１ｂでは、表示領域２０１ａの最外郭に配置される四角形の部分である最外郭四角部２０６ａから第１放電電極と一体的に延びて構成され、外部端子と接続されるダミー電極２０６ｂが形成されている。
【００５３】
ダミー電極２０６ｂは、表示領域２０１ａと非表示領域２０１ｂとの境界部に位置する最外郭四角部２０６ａの端部に沿って、追加的に別途の四角形の電極を形成させたものである。ダミー電極２０６ｂは、最外郭四角部２０６ａから一体的に延びた電極が付加されていれば、電極の形状は限定されるものではない。このようなダミー電極２０６ｂの外郭部には、外部連結端子と接続される幅の狭い端子部２０６ｃが形成される。
【００５４】
このようなダミー電極２０６ｂが形成された部分は、第１放電電極２０６を製造するための工程の一つである現像工程時に現像器から現像液が投入される方向と最も隣接して位置しており、端子部２０６ｃで急に幅が広くなる部位（端子部２０６ｃとダミー電極２０６ｂとの境界）に位置する。
【００５５】
すなわち、図４に矢印で示すように前面基板２０１の右側に現像器が配置され、それから現像液が投入されると、第１放電電極２０６は、現像器と隣接して配置された右側の最外郭四角部２０６ａが、第１放電電極２０６の他の部分より現像液に露出される時間が長くなる。
【００５６】
したがって、最外郭四角部２０６ａでオーバーエッチングの恐れがあるので、最外郭四角部２０６ａの端部から延びるダミー電極２０６ｂを追加的に形成することによって、現像液に多く露出されたとしてもダミー電極２０６ｂがエッチングされるので、最外郭四角部２０６ａはエッチングされず、所定のエッチングパターンを得ることができる。
【００５７】
本実施形態では、最外郭四角部２０６ａの端部に追加的に四角形の環状のダミー電極２０６ｂを一体的に形成させる場合を例として説明したが、最外郭四角部２０６ａに、オーバーエッチングにより除去されても構わないダミー電極２０６ｂが形成されるならば、ダミー電極２０６ｂの形状は特に限定されることはない。ただし、本実施形態で表示領域２０１ａに配置される第１放電電極２０６がオーバーエッチングされないように、非表示領域２０１ｂに配置されたダミー電極２０６ｂに対応する領域には第１放電電極２０６を配置しない。
【００５８】
ダミー電極２０６ｂは、第１放電電極２０６としての役割を果たさない、単純に現像過程で第１放電電極２０６の代わりにエッチングされる電極パターンに過ぎないので、ダミー電極２０６ｂが取り囲まれた空間には、アドレス電極２０９が配置される必要はない。
【００５９】
以上のような構造を持つプラズマディスプレイパネル２００の作用を、図２から図５を参照して詳細に説明すれば、次の通りである。
【００６０】
まず、外部の電源からＹ電極に該当する第２放電電極２０７とアドレス電極２０９との間に所定のパルス電圧を印加すると、発光される放電セルが選択される。選択された放電セルの内側には壁電荷が蓄積される。
【００６１】
次に、Ｘ電極に該当する第１放電電極２０６に“＋”電圧が印加され、Ｙ電極に該当する第２放電電極２０７に第１放電電極２０６よりも相対的に高い電圧が印加されれば、第１放電電極２０６と第２放電電極２０７との間に印加された電圧差によって壁電荷が移動する。
【００６２】
次に、壁電荷の移動によって放電セル内の放電ガス原子と衝突しつつプラズマを生成させ、この生成したプラズマ放電は、相対的に強い電界が形成される第１放電電極２０６と第２放電電極２０７との間から始まって放電セル全体に拡大される。
【００６３】
このような方式で放電が形成された後には、第１放電電極２０６と第２放電電極２０７との電圧差が放電電圧より低くなれば、それ以上放電は発生せず、空間電荷及び壁電荷が放電セルに形成される。この時、第１放電電極２０６及び第２放電電極２０７に印加された電圧の極性を互いに入れ替えれば、壁電荷によって再び放電が発生する。このように第１放電電極２０６及び第２放電電極２０７の極性を直ちに入れ替えれば、最初の放電過程が反復する。このような過程を反復しつつ放電が安定的に発生する。
【００６４】
そして、放電によって生成された紫外線は、各放電セルに塗布されている蛍光体層２１４の蛍光物質を励起させる。以上のような過程を通じて可視光を得る。生成された可視光は放電セルに放出されて、静止画または動画を具現する。
【００６５】
このような構造のプラズマディスプレイパネル２００を製造する過程を説明すれば、次の通りである。
【００６６】
まず、透明な前面基板２０１を準備する。前面基板２０１が準備された後は、前面基板２０１の背面基板２０２と対向する面に沿って放電セルを画定する誘電体壁２０５と、誘電体壁２０５内に埋設される第１放電電極２０６及び第２放電電極２０７とを交互に形成する。次いで、誘電体壁２０５の内側表面に、２次電子放出量を増加させるためにＭｇＯからなる保護膜層２０８を蒸着させる。
【００６７】
第１放電電極２０６及び第２放電電極２０７を形成させる過程は、誘電体壁２０５によって画定された放電セルの周囲に沿って第１放電電極２０６及び第２放電電極２０７が位置するように、放電電極用の原材料となる素材を印刷及び乾燥する。第１放電電極２０６及び第２放電電極２０７は、誘電体壁２０５内に上下に分離して配置されているので、第１放電電極２０６を形成した後は、それと同じ工程で第２放電電極２０７を形成する。
【００６８】
第１放電電極２０６及び第２放電電極２０７は乾燥が完了すれば、マスクを整列して露光して放電セルの周囲に沿って四角形が連続的に配置された形状にパターン化した後、現像する。現像工程時には、前面基板２０１の一の側の端部近傍で現像器を配置し、そのノズルから現像液を前面基板２０１上に投入して、第１放電電極２０６及び第２放電電極２０７の形状を現像する。その後、所定温度で焼成して第１放電電極２０６及び第２放電電極２０７を完成する。
【００６９】
ここで、第１放電電極２０６及び第２放電電極２０７は、前面基板２０１のＸ方向に沿って隣接した放電セルを横切って四角形が連続的に配置された梯子形をなしており、前面基板２０１の非表示領域２０１ｂに配置されるダミー電極２０６ｂが表示領域２０１ａに配置された放電電極２０６の最外郭四角部２０６ａで、非表示領域に延びて第１放電電極２０６と一体的に形成されるので、現像工程時にオーバーエッチングが発生してもダミー電極２０６ｂがエッチングされるだけで、表示領域２０１ａに配置された放電電極２０６はオーバーエッチングから保護される。すなわち、ダミー電極２０６ｂが放電電極２０６、特に最外郭四角部２０６ａに代わりになるので、オーバーエッチングが発生しても、最外郭四角部２０６ａの代りにダミー電極がエッチングされる。
【００７０】
特に、ダミー電極２０６ｂは、現像器から投入される現像液に露出される時間が相対的に最も長い非表示領域２０１ｂに配置され、この部分にオーバーエッチングが起きるとしても、放電電極としての役割をしないダミー電極２０６ｂだけエッチングされるので、表示領域２０１ａ内の放電電極は所定のパターンで形成される。
【００７１】
したがって、現像器のノズルから噴射される現像液に長時間露出されるとしても、ダミー電極２０６ｂが配置されているので、最外郭部に位置した四角部２０６ａの形状は、所望の通りに維持できる。
【００７２】
本発明は、図面に図示された実施形態を参考として説明されたが、これは例示的なものに過ぎず、当業者ならば、これより多様な変形及び均等な他の実施形態が可能であるという点を理解できるであろう。したがって、本発明の真の技術的保護範囲は、特許請求の範囲の技術的思想によって決定されなければならない。
【産業上の利用可能性】
【００７３】
本発明は、プラズマディスプレイパネルに関する技術分野に適用できる。
【図面の簡単な説明】
【００７４】
【図１】従来のプラズマディスプレイパネルを示す分離斜視図である。
【図２】本発明の望ましい実施形態によるプラズマディスプレイパネルの一部を破断して部分的に示す分離斜視図である。
【図３】図２のパネルが結合された状態におけるＩ−Ｉ線に沿った断面図である。
【図４】図２の前面基板に放電電極が配置された状態を示す平面図である。
【図５】図２の放電電極を示す分離平面図である。
【図６】図２の放電電極を示す分離斜視図である。
【符号の説明】
【００７５】
２００    プラズマディスプレイパネル、
２０１    前面基板、
２０２    背面基板、
２０３    第１誘電体壁、
２０４    第２誘電体壁、
２０５    誘電体壁、
２０６    第１放電電極、
２０６ａ    最外郭四角部、
２０６ｂ    ダミー電極、
２０６ｃ    端子部、
２０７    第２放電電極、
２０８    保護膜層、
２０９    アドレス電極、
２１０    誘電体層、
２１３    隔壁、
２１４    蛍光体層。
【図１】
2006156349.tif 000003
【図２】
2006156349.tif 000004
【図３】
2006156349.tif 000005
【図４】
2006156349.tif 000006
【図５】
2006156349.tif 000007
【図６】
2006156349.tif 000008